【手続補正書】
【提出日】平成29年12月11日(2017.12.11)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）において実行され、第１および第２の方向において第２のＷＴＲＵとの通信のために時間−周波数（ＴＦ）リソースを使用する方法であって、
前記ＷＴＲＵによって、前記第２の方向における通信と関連付けられた情報を取得するステップと、
前記ＷＴＲＵによって、前記第２の方向における前記通信と関連付けられた前記取得された情報に基づいて、前記第１の方向における前記通信のための１つまたは複数のＴＦリソースをＴＦリソースミューティングまたはシンボルミューティングするステップと
を備えたことを特徴とする方法。
【請求項２】
前記第１の方向における前記通信のための１つまたは複数のＴＦリソースの前記シンボルミューティングは、前記ＷＴＲＵによって、前記第２の方向における前記通信と関連付けられた前記取得された情報に基づいて、前記第１の方向における前記通信のための前記１つまたは複数のＴＦリソースと関連付けられたサブフレームを短縮することを含むことを特徴とする請求項１に記載の方法。
【請求項３】
前記第２の方向における前記通信と関連付けられた前記情報は、前記第２の方向における前記通信に対する（１）１つもしくは複数の復調基準信号、（２）１つもしくは複数の制御チャネル、（３）１つもしくは複数のリソース要素、または１つもしくは複数のリソースブロック、のうちのいずれかの優先度または相対優先度を含み、
前記方法は、
前記優先度または前記相対優先度に基づいて、ミュートされることになる前記第１の方向における前記通信のための前記１つまたは複数のＴＦリソースと関連付けられた対応するＴＦ位置を決定するステップをさらに備え、
前記ＴＦリソースミューティングまたは前記シンボルミューティングは、前記第１の方向における前記通信のために前記対応するＴＦ位置において前記１つまたは複数のＴＦリソースをミューティングすることを含む
ことを特徴とする請求項１に記載の方法。
【請求項４】
１つまたは複数のサブフレームを、全二重（ＦＤ）ＴＦリソースを含む、ＦＤサブフレームとして設定するステップと、
前記第１および第２の方向における前記通信が、（１）周波数において重複し、または（２）前記第１の方向における前記通信の第１の周波数もしくは第１の周波数帯域が前記第２の方向における前記通信の第２の周波数もしくは第２の周波数帯域の閾値内にある時間間隔が確立されるように、前記第１の方向における前記通信の少なくとも一部を送信している間に、前記第２の方向における前記通信の少なくとも一部を受信するように前記ＷＴＲＵを構成するステップと
をさらに備えたことを特徴とする請求項１に記載の方法。
【請求項５】
前記１つまたは複数のＴＦリソースの前記ＴＦリソースミューティングまたは前記シンボルミューティングは、（１）ブランキング動作、（２）パンクチャリング動作、（３）レートマッチング動作、または（４）送信電力制御動作、のうちのいずれかを介して前記１つまたは複数のＴＦリソースをミューティングすることを含むことを特徴とする請求項１に記載の方法。
【請求項６】
前記１つまたは複数のＴＦリソースの前記ＴＦリソースミューティングまたは前記シンボルミューティングは、前記第１の方向における前記通信と関連付けられた前記ＴＦリソースのサブセットの間またはサブセットの中で送信電力レベル（ＴＰＬ）を、（１）ゼロ電力レベル、（２）閾値レベル未満である非ゼロ電力レベル、または（３）前記第２の方向における前記通信と関連付けられた対応するＴＦリソースの電力レベルに対する電力レベル、のうちのいずれかに調整することを含むことを特徴とする請求項１に記載の方法。
【請求項７】
前記１つまたは複数のＴＦリソースの前記ＴＦリソースミューティングまたは前記シンボルミューティングは、
複数のＴＦリソースの第１のサブセットに対する第１のＭＣＳおよび前記複数のＴＦリソースの第２のサブセットに対する第２のＭＣＳのインジケーションを受信することと、
前記受信されたインジケーションに基づいて、前記ＴＦリソースの前記第１のサブセットの送信電力レベルを、前記ＴＦリソースの前記第２のサブセットの送信電力レベルに対する異なるレベルに設定することと、
前記受信されたインジケーションに基づいて、前記第１のＭＣＳを前記ＴＦリソースの前記第１のサブセットに対するＭＣＳとして、および前記第２のＭＣＳを前記ＴＦリソースの前記第２のサブセットに対するＭＣＳとして設定することと
を含むことを特徴とする請求項１に記載の方法。
【請求項８】
判定された結果として、サブフレームが潜在的に自己干渉サブフレームであるか、または潜在的に近隣干渉サブフレームであるかを判定するステップをさらに備え、前記１つまたは複数のＴＦリソースの前記ＴＦリソースミューティングまたは前記シンボルミューティングは、前記判定された結果に従うことを特徴とする請求項１に記載の方法。
【請求項９】
信号を、ミュートされることになる前記１つまたは複数のＴＦリソースを含む複数のＴＦリソースにマッピングするステップをさらに備え、前記第１の方向における前記通信のための前記１つまたは複数のＴＦリソースの前記ＴＦリソースミューティングまたは前記シンボルミューティングは、前記１つまたは複数のＴＦリソースと関連付けられたＴＦ位置において前記マッピングされたＴＦリソースをパンクチャリングすることを含むことを特徴とする請求項１に記載の方法。
【請求項１０】
前記第１の方向における前記通信のための１つまたは複数のＴＦリソースの前記ＴＦリソースミューティングまたは前記シンボルミューティングは、ミュートされることになる前記１つまたは複数のＴＦリソースと関連付けられたＴＦ位置において、複数のＴＦリソースをマッピングすることを回避するためにレートマッチングすることを含むことを特徴とする請求項１に記載の方法。
【請求項１１】
前記１つまたは複数のＴＦリソースの前記ＴＦリソースミューティングまたは前記シンボルミューティングは、（１）前記第１の方向における閾値よりも高い送信電力、（２）閾値を上回る前記１つもしくは複数のＴＦリソースのトランスポートブロックサイズ（ＴＢＳ）、（３）閾値を上回る前記１つもしくは複数のＴＦリソースの変調および符号化スキーム（ＭＣＳ）パラメータ、ならびに／または（４）閾値を上回る前記１つもしくは複数のＴＦリソースの冗長バージョン、のうちのいずれかが条件とされることを特徴とする請求項１に記載の方法。
【請求項１２】
前記第１の方向における前記通信と関連付けられた、ミュートされることになる前記１つまたは複数のＴＦリソースは、サブフレームの１つまたは複数の部分にマッピングされ、前記方法は、前記第１の方向における前記通信のために、前記ミュートされたＴＦリソースまたは前記ミュートされたＴＦリソースのサブセットと関連付けられた１つまたは複数の信号または干渉信号（ＲＳ）を、シフトされたＴＦ信号として、前記サブフレームの１つまたは複数の異なる部分において送信するステップをさらに備えたことを特徴とする請求項１に記載の方法。
【請求項１３】
前記１つまたは複数のＴＦリソースの前記ＴＦリソースミューティングまたは前記シンボルミューティングは、（１）１つもしくは複数の特定のＴＦ位置、（２）周波数帯域の中心部分における１つもしくは複数のＴＦ位置、（３）周波数帯域の境界部分における１つもしくは複数のＴＦ位置、（４）特定のサブフレーム、（５）前のサブフレームにおけるシグナリングに対するサブフレームもしくはインジケーション、特定のシンボル、または（７）前のシンボルにおけるシグナリングに対する特定のシンボルもしくはインジケーション、のうちにいずれかに位置する前記１つまたは複数のＴＦリソースが条件とされることを特徴とする請求項１に記載の方法。
【請求項１４】
（１）前記第１の方向における前記通信の前記１つもしくは複数のＴＦリソースと関連付けられた１つもしくは複数の論理チャネルに対するサービス品質（ＱｏＳ）パラメータ、（２）前記第１の方向における前記通信のための前記１つもしくは複数のＴＦリソースと関連付けられた再送信の回数、および／または（３）前記第１の方向における前記通信と関連付けられた前記１つもしくは複数のＴＦリソースが前記第１の方向における前記通信の再送信に対するものであるか、のうちのいずれかに基づいて、前記第１の方向における前記通信と関連付けられた前記１つまたは複数のＴＦリソースに対する１つまたは複数の優先度を決定するステップをさらに備えたことを特徴とする請求項１に記載の方法。
【請求項１５】
前記第１の方向における前記通信と関連付けられた前記１つまたは複数のＴＦリソースに対応する前記第２の方向における前記通信に対するＴＦ位置におけるＴＦリソースと関連付けられた１つまたは複数の優先度を決定または検出するステップをさらに備え、前記ＴＦリソースミューティングまたは前記シンボルミューティングは、前記第１の方向における前記通信および前記第２の方向における前記通信に対する対応するＴＦ位置と関連付けられた前記ＴＦリソースの相対優先度に基づいていることを特徴とする請求項１に記載の方法。
【請求項１６】
第１および第２の方向における通信のために時間−周波数（ＴＦ）リソースを使用するように構成された無線送信／受信ユニット（ＷＴＲＵ）であって、
全二重通信を送信および受信するように構成された全二重送信機／受信機ユニットと、
前記第２の方向における前記通信と関連付けられた情報を取得し、および、
前記第２の方向における前記通信と関連付けられた前記取得された情報に基づいて、前記第１の方向における前記通信のために、１つまたは複数のＴＦリソースをＴＦリソースミュートまたはシンボルミュートする
ように構成されたプロセッサと
を備えたことを特徴とするＷＴＲＵ。
【請求項１７】
前記プロセッサは、前記第２の方向における前記通信と関連付けられた前記取得された情報に基づいて、前記第１の方向における前記通信のために前記１つまたは複数のＴＦリソースと関連付けられた１つまたは複数のサブフレームを短縮するように構成されていることを特徴とする請求項１６に記載のＷＴＲＵ。
【請求項１８】
前記第２の方向における前記通信と関連付けられた前記情報は、前記第２の方向における前記通信に対する、（１）１つもしくは複数の復調基準信号、（２）１つもしくは複数の制御チャネル、（３）１つもしくは複数のリソース要素、または（４）１つもしくは複数のリソースブロック、のうちのいずれかの優先度または相対優先度を含み、
前記プロセッサは、
前記優先度または前記相対優先度に基づいて、ミュートされることになる前記第１の方向における前記通信のための前記１つまたは複数のＴＦリソースと関連付けられた対応するＴＦ位置を決定し、および、
前記第１の方向における前記通信のために前記対応するＴＦ位置において前記１つまたは複数のＴＦリソースをミュートする
ように構成されていることを特徴とする請求項１６に記載のＷＴＲＵ。
【請求項１９】
前記全二重送信機／受信機ユニットおよびプロセッサは、（１）ブランキング動作、（２）パンクチャリング動作、（３）レートマッチング動作、または（４）送信電力制御動作、のうちのいずれかを介して前記１つまたは複数のＴＦリソースをミュートするように構成されていることを特徴とする請求項１６に記載のＷＴＲＵ。